(57)【特許請求の範囲】
【請求項１】
３Ｄ画像又は２Ｄ画像を表示する画像表示部を備えた立体表示装置であって、
前記画像表示部の画像表示面に相対し、幅方向に長い少なくとも１つのスリットを有した観察角度提示バリアを備え、
前記画像表示部に表示された角度提示画像を前記観察角度提示バリアを介して提示することにより、前記画像表示部の画像表示面に対する奥行き方向の観察角度を提示し、
前記観察角度提示バリアは、光を透過する前記スリットの位置またはパターンを、前記観察角度に応じて変化させ、前記３Ｄ画像に含まれた前記観察角度の情報に対応して、自動的に前記スリットの開口を決定することを特徴とする立体表示装置。
【請求項２】
前記角度提示画像の表示位置は、前記観察角度に応じて変化することを特徴とする請求項１に記載の立体表示装置。
【請求項３】
前記角度提示画像は、奥行き方向に長さを持ち、その奥行き方向の位置に応じて異なる色で表示され、前記観察角度に応じて異なる色が提示されるようにしたことを特徴とする請求項１又は請求項２に記載の立体表示装置。
【請求項４】
前記立体表示装置に入力された立体画像を立体表示する際には、前記角度提示画像を表示せず、前記観察角度提示バリアは全領域範囲において光を透過するようにしたことを特徴とする請求項１から請求項３のいずれか１項に記載の立体表示装置。
【請求項５】
前記観察角度提示バリア及び前記画像表示部に表示された角度提示画像領域の位置は、立体画像注目領域外に配置されるようにしたことを特徴とする請求項１から請求項３のいずれか１項に記載の立体表示装置。
【請求項６】
前記角度提示画像は、奥行き方向及び幅方向の観察角度を提示するための画像であり、前記観察角度方向には、前記観察角度提示バリアにより前記画像が遮蔽されるような位置に前記角度提示画像を配置することを特徴とする請求項１に記載の立体表示装置。
【請求項７】
前記観察角度提示バリアは、液晶によって構成したことを特徴とする請求項１から請求項６のいずれか１項に記載の立体表示装置。
【発明の詳細な説明】
【技術分野】
【０００１】
本発明は、３次元画像を立体視可能な立体表示装置に関する。
【背景技術】
【０００２】
従来、３次元画像を表示する様々な方法が提案されてきた。その中でも一般的に用いられているのは両眼視差を利用する「２眼式」と呼ばれるものである。両眼視差を持った左眼用画像と右眼用画像を用意し、左眼用画像を左眼で、右眼用画像を右眼で見ることにより、被写体を直接見ているかのような立体感を得ることが出来る。
【０００３】
立体視用印刷物の作成方法においては、主に赤と青の２色を用いて両眼視差のついた画像を重ねて、共通の透過波長域を持たないグラスによって立体視するアナグリフ方式などの方式が知られている。このような印刷物による立体視の例として、特許文献１に記載の「立体視用印刷物の製造方法、立体視用印刷物」がある。水平面に印刷物を置いて見る場合、斜め方向から印刷物を見ることになる。その際の視点位置にカメラを置き、立体画像を撮影することになるが、この時撮影される画像は、視点から遠ざかるにつれて、頂点間の距離が縮まる。これをそのまま立体用画像として印刷し、この印刷物を水平面に置いて観察した場合、奥行き感に矛盾が生じてしまうため、撮影した画像の奥行き感（パースペクティブ）を無くすための処理を行い印刷することにより、ピント調整や奥行き感の矛盾が少なく、自然な立体視を可能としている。
【０００４】
また、近年では立体視可能な表示装置も提案されており、２眼式の代表的な方式として時分割方式やパララックスバリア方式、偏光フィルタ方式などいくつかの方式がある。このうち、例として時分割方式とパララックスバリア方式に関して説明する。
【０００５】
図２４は、時分割方式を説明するための概念図である。
【０００６】
図２４に示すように、この時分割方式は、左眼画像と右眼画像が垂直方向１画素おきに交互にならんだ形に配置され、左眼画像の表示と右眼画像の表示が交互に切り替えて表示されるものである。
【０００７】
左眼画像および右眼画像は通常の２次元表示時に比べて垂直解像度が１／２になっている。観察者はディスプレイの切り替え周期に同期して開閉するシャッタ式のメガネを着用する。ここで使用するシャッタは、左眼画像が表示されている時は左眼側が開いて右眼側が閉じ、右眼画像が表示されている時は左眼側が閉じて右眼側が開く。こうすることで、左眼画像は左眼だけで、右眼画像は右眼だけで観察されることになり、立体視を行うことができる。
【０００８】
図２５は、パララックスバリア方式を説明するための概念図である。
【０００９】
図２５（ａ）は、視差が生じる原理を示す図である。一方、図２５（ｂ）は、パララックススバリア方式で表示される画面を示す図である。
【００１０】
図２５（ａ）では、図２５（ｂ）に示すような左眼画像と右眼画像が水平方向１画素おきに交互にならんだ形に配置された画像を、画像表示パネル６００に表示し、同一視点の画素の間隔よりも狭い間隔でスリットを持つパララックスバリア６０１を画像表示パネル６００の前面に置くことにより、左眼画像は左眼６０２だけで、右眼画像は右眼６０３だけで観察することになり、立体視を行うことができる。
【００１１】
また、パララックスバリア６０１と画像表示パネル６００の配置位置は逆でも同様の機能を実現することが可能であり、その原理を示す概念図を図２６に示す。図２５（ａ）と同様、左眼画像は左眼６０２、右眼画像は右眼６０３だけで観察することで立体視できる。
【００１２】
上記以外にも、パララックスバリア方式と同様に図２５（ｂ）に示す形式の画像を、前面に配置されたレンティキュラレンズを使用して立体表示する、レンティキュラ方式などもある。
【００１３】
このようなパララックスバリア方式やレンティキュラ方式の立体視可能な立体表示装置においては、適切に立体視可能な観察位置が限定される。観察するユーザの頭部が左右方向にずれると、左右それぞれの眼に届いていた左眼画像、右眼画像がうまく分割が行われなくなり、ずれ量によって左右の映像が反対に提示されるようになってしまう。そのため、適切な観察位置を判別する為の方法が提案されている。下記の特許文献２に記載の「自動立体表示装置」では、信号表示部と連動させ、左右画像を分割する為に使用される視差光学装置の一部を利用して、適切な立体画像を観察可能である範囲においてのみ観察可能な信号画像を提示することを可能としている。これにより立体視可能な範囲にいるかどうかを判断できると共に、立体表示装置に表示部と観察位置提示部が一体化されているため、表示部と観察位置提示部で位置あわせを行わなくてよい。
【特許文献１】特許第３５７９６８３号公報
【特許文献２】特開平１０−２２９５６７号公報
【発明の開示】
【発明が解決しようとする課題】
【００１４】
しかしながら、上記特許文献１に記載の立体視用印刷物のように、水平面に画像をおいて立体視する場合には、印刷物を見る角度が、撮影時に想定した視点位置と異なると立体像がゆがんでしまい適切に観察することができないという問題点がある。
【００１５】
また、特許文献２に記載の表示装置では、左右方向における適切な観察位置を提示する方法を示しているが、水平面に表示装置を置いて観察することは想定しておらず、画面の縦方向に対する観察位置、すなわち表示面と視点との観察角度を提示することはできない。
【００１６】
本発明は、以上のような問題点を解決するためになされたものであって、立体視可能な表示装置を水平面において使用する際に、自然な立体視が可能となる適切な観察角度を提示することを可能とした立体表示装置を提供することを目的とする。
【課題を解決するための手段】
【００１７】
上記課題を解決するために、本発明に係る立体表示装置は、以下の特徴を備えている。
【００１８】
本発明に係る立体表示装置は、３Ｄ画像又は２Ｄ画像を表示する画像表示部を備えた立体表示装置であって、前記画像表示部の画像表示面に相対し、幅方向に長い少なくとも１つのスリットを有した観察角度提示バリアを備え、前記画像表示部に表示された角度提示画像を前記観察角度提示バリアを介して提示することにより、前記画像表示部の画像表示面に対する奥行き方向の観察角度を提示し、前記観察角度提示バリアは、光を透過する前記スリットの位置またはパターンを、前記観察角度に応じて変化させ、前記３Ｄ画像に含まれた前記観察角度の情報に対応して、自動的に前記スリットの開口を決定することを特徴とする。
【００２０】
また、本発明に係る立体表示装置において、前記角度提示画像の表示位置は、前記観察角度に応じて変化することを特徴とする。
【００２１】
また、本発明に係る立体表示装置において、前記角度提示画像は、奥行き方向に長さを持ち、その奥行き方向の位置に応じて異なる色で表示され、前記観察角度に応じて異なる色が提示されるようにしたことを特徴とする。
【００２２】
また、本発明に係る立体表示装置において、前記立体表示装置に入力された立体画像を立体表示する際には、前記角度提示画像を表示せず、前記観察角度提示バリアは全領域範囲において光を透過するようにしたことを特徴とする。
【００２３】
また、本発明に係る立体表示装置において、前記観察角度提示バリア及び前記画像表示部に表示された角度提示画像領域の位置は、立体画像注目領域外に配置されるようにしたことを特徴とする。
【００２４】
また、本発明に係る立体表示装置において、前記角度提示画像は、奥行き方向及び幅方向の観察角度を提示するための画像であり、前記観察角度方向には、前記観察角度提示バリアにより前記画像が遮蔽されるような位置に前記角度提示画像を配置することを特徴とする。
【００２５】
また、本発明に係る立体表示装置において、前記観察角度提示バリアは、液晶によって構成したことを特徴とする。
【発明の効果】
【００２６】
本発明に係る立体表示装置によれば、前記画像表示部の画像表示面に相対し、幅方向（横方向）に長い少なくとも１つのスリットを有した観察角度提示バリアを備え、前記画像表示部に表示された角度提示画像を前記角度提示バリアを介して提示することにより、前記画像表示部の画像表示面に対する奥行き方向（縦方向）の観察角度を提示することができるため、画面の奥行き方向に対して立体画像がゆがみ無く正確に観察可能となる位置を、立体画像の観察者が確認することができる。
【００２７】
また、本発明に係る立体表示装置によれば、前記観察角度提示バリアを、光を透過する位置（スリットの位置）またはパターンを前記観察角度に応じて変化させることにより、表示する立体画像に応じて観察角度が変わった場合にも、その立体画像に応じた観察角度を提示することが可能となる。
【００２８】
また、本発明に係る立体表示装置によれば、前記角度提示画像の表示位置は、前記観察角度に応じて変化することにより、角度提示バリアの透過位置が変更できない場合でも、画像の観察角度に応じた適切な観察位置を提示することができ、また、角度提示バリアの透過位置が変更できる場合は、前記角度提示画像の表示位置と組み合わせることによって、より厳密に適切な観察位置を提示することが可能となる。
【００２９】
また、本発明に係る立体表示装置によれば、前記角度提示画像は奥行き方向に幅をを持ち、その奥行き方向の位置に応じて異なる色で表示され、観察角度に応じて異なる色が提示されるようにしたことにより、あらかじめ色と角度の関係を観察者に提示しておくことで、観察者がどの角度で画像を見ているかが判断可能となり、どのように視点位置を変えれば適切な観察位置になるかを判断させることが可能となる。
【００３０】
また、本発明に係る立体表示装置によれば、前記立体表示装置に入力された立体画像を立体表示する際には、前記角度提示画像を表示せず、前記角度提示バリアは全ての範囲において光を透過することにより、立体画像を観察する際に角度提示バリアが透過となることで、角度提示バリアが立体視の妨げになるのを防ぐことが可能となる。
【００３１】
また、本発明に係る立体表示装置によれば、前記角度提示バリア及び前記画像表示部に表示された角度提示画像領域の位置は、立体画像注目領域外に配置されることにより、角度提示バリアの透過状態が変更できず常に光を遮断するものであっても、立体画像注目領域外におかれるので立体視の妨げになるのを防ぐことができる。
【００３２】
また、本発明に係る立体表示装置によれば、前記角度提示画像が奥行き方向の観察角度を提示するための画像に加え、幅方向の観察角度を提示するための画像からなり、観察角度方向には前記観察角度提示手段により前記画像が共に遮蔽されるよう前記角度提示画像を配置することにより、同一の観察角度提示手段を通して、奥行き方向の適切な観察位置に加え、幅方向の適切な観察位置も同時に提示することが可能となる。
【００３３】
また、本発明に係る立体表示装置によれば、前記観察角度提示バリアは、液晶によって構成されることにより、光の透過と遮断状態を自由に切り替えることができるため、スリットの位置を可変にしたり、観察角度提示バリアを全ての範囲で透過状態にする事が可能となる。
【発明を実施するための最良の形態】
【００３４】
本発明に係る立体表示装置の最良の実施形態について、図面を参照しながら説明する。
【００３５】
ここで、実施形態を説明するにあたって、「３Ｄ」は、３次元または立体を、「２Ｄ」は、２次元を意味する用語としてそれぞれ用い、立体画像を「３Ｄ画像」、通常の２次元画像を「２Ｄ画像」と表す。
【００３６】
なお、従来の構成部分および各実施形態における同一の構成部分には、同じ符号を適用する。
【００３７】
（第１の実施形態）
図１は、本発明の第１の実施形態に係る立体表示装置の構成を示す図である。
【００３８】
立体表示装置１００は、画像を表示するための光を背面から照射するバックライト１０１と、赤（Ｒ），緑（Ｇ）、青（Ｂ）からなる複数の画素を備えた画像表示部１０２と、３Ｄ画像を立体的に表示するために左右眼に対応した画像に分離する為の視差バリア１０３と、水平面に表示装置をおいた際に立体画像をゆがみなく適切な位置から見るための指標を提示する観察角度提示バリア１０４からなる。
【００３９】
まず、視差を持った左眼画像と右眼画像からなる３Ｄ画像が、立体表示装置１００に入力される。図２は、この時の３Ｄ画像の例である。Ｌと書かれた左側の画像が左眼画像を、Ｒと書かれた右側の画像が右眼画像を示している。このような３Ｄ画像が入力された際、立体表示装置１００は、左眼画像と右眼画像のそれぞれにおいて、画像を縦の短冊状に分割し、図２５（ｂ）で説明したように、左端から左眼画像、右眼画像の順で、縦の短冊が繰り返し並ぶような画像を表示する。例えば、立体表示装置１００は、ディスプレイの上下方向の画素のラインに対して１ラインごとに左眼画像と右眼画像を交互に表示する。
【００４０】
図３は、３Ｄ画像を表示した場合の立体視の原理を示す図である。
【００４１】
なお、図３には、観察角度提示バリア１０４を描画しておらず、その説明は後述する。画像表示部１０２に、左眼画像、右眼画像が交互に表示される。各画素から出た光は視差バリア１０３によって分離され、左眼画像は左眼だけに、右眼画像は右眼だけにそれぞれ届くことにより、表示された画像を立体的に見ることが可能となる。
【００４２】
なお、このときの視差バリア１０３は、画像表示部１０２の画像表示面に対して縦長の短冊状であるようなスリットにより構成されている。ここで、視差バリア１０３の材質として、フィルムなどを用いてもよいし、電気的な制御によりスリットのＯＮ／ＯＦＦが可能な素子を用いてもよい。例えば、ここでは液晶を用いる。液晶は電圧のＯＮ／ＯＦＦによって光を透過する状態と、光を遮る状態とを切り替えることができる。そのため視差バリア１０３を液晶によって構成し、３Ｄ画像を表示する際にはスリット部分を遮光状態として左右眼の画像の分離を行い、通常の２Ｄ画像を表示する際にはスリット部分を透過状態とすることで、３Ｄ表示と２Ｄ表示の切り替えを行うことが可能となる。
【００４３】
また、上記で視差バリア１０３を構成するスリットは斜めの短冊状のスリットとしてもよい。この場合、縦長のスリットの視差バリア１０３で説明した縦長のラインを、斜めの短冊状のスリットに対応した斜めのラインに置き換えるだけでよく、同様にして、左右画像をラインごとに表示し、左右画像を分離する。このときの視差バリア１０３や３Ｄ画像の構成は、本発明と関係ないため、その詳細な説明は略す。
【００４４】
観察者は、その表示面が水平になるように立体表示装置１００を配置して、立体視を行う。また、立体表示装置１００は、入力された３Ｄ画像に対して特許文献１で示されるような補正を行い、補正を行った画像を前述したように並び替えて表示する。このようにして、観察者は自然な立体像を観察することができる。
【００４５】
図４および図５は、前述した補正の一例を示す図である。
【００４６】
図４は、正方形のテーブルに置かれた立方体を、カメラ間隔を両眼の間隔に近い６５ｍｍとした２台のカメラによって斜め上方向から約４５度の角度をつけ、撮影した画像を示す図である。
【００４７】
カメラの角度は、被写体の中央、すなわちテーブルの中央とカメラの中心を結んだ角度である。撮影した左眼用画像からテーブルの領域を切り出した画像をＬ、右眼用画像からテーブルの領域を切り出した画像をＲとする。これらのＬとＲの画像は、奥に配置されたものほど、その大きさが小さくなるようになっている。これらの画像に対してそれぞれ前述の補正を行う。
【００４８】
図５は、Ｌの画像の補正を示す図である。図５において左側が補正前、右側が補正後を示しており、基準面となるテーブル面の角を示す点Ｐ１、Ｐ２、Ｐ３、Ｐ４を、テーブル本来の形と同じ正方形の形になるように図のＰ１’、Ｐ２’、Ｐ３’、Ｐ４’に来るよう補正する。これにより、奥行き感（パースペクティブ）がなくなるように補正される。右眼用画像に対しても同じようにこの補正を行い、パースペクティブをなくして図２に示すような左右眼の画像からなる３Ｄ画像を作成する。この画像を水平面におかれた立体表示装置１００で表示し、カメラの撮影位置と同じ４５度の角度から観察すると、自然な立体像が観察される。
【００４９】
この時、もし撮影した角度とは異なる角度から画像を観察した場合、角度のずれが大きくなるに従い、立体像は本来の形に対してゆがんで見えることとなる。これを防ぐ為に、観察角度提示バリア１０４により、適切に画像を観察する為の角度を提示する。
【００５０】
図６は、立体表示装置１００を横から見た図であり、観察角度提示バリア１０４による観察角度の提示方法を示す。観察角度提示バリア１０４は、少なくともひとつ以上の領域が、画像表示部１０２の画像表示面に対して横長の短冊状であるようなスリットで構成されているバリアである。ここで、観察角度提示バリア１０４の材質としては、視差バリア１０３と同様にフィルムなどを用いてもよいし、電気的な制御によりスリットのＯＮ／ＯＦＦが可能な素子を用いてもよい。ここでは液晶を用いる。このようにすることにより、視差バリア１０３と同様に、透過状態と遮光状態を切り替えることが可能である。
【００５１】
以下では、観察角度提示バリア１０４上のスリットが存在する領域が、図１に示すように立体表示装置の表示面に向かってその左右端に存在する場合を例として説明を行う。
【００５２】
画像表示部１０２は、観察角度提示バリア１０４のスリットがある部分に対応する位置に、幅方向に所定の長さをもつラインを、角度提示画像として表示する。図１において、Ａで示す矢印の方向が幅方向であり、Ｂで示す方向が奥行き方向である。ここでは例えば、角度提示画像として、所定の色と輝度を有するラインを表示する（以下、このラインを角度提示ラインと称す）。角度提示ラインの色は何色でもよいが、視認性の高い色であることが好ましい。ここで、立体表示装置１００に表示する角度提示ラインのサイズは、例えば、奥行き方向（縦方向）ｍ画素、幅方向（横方向）ｎ画素とする（ｍ，ｎとも取り得る値は１以上の整数である）。
【００５３】
ここで、ｍを１とし、また、立体表示装置１００に表示する角度提示ラインの幅方向の長さが、観察角度提示バリア１０４のスリットの幅方向の長さ以下になるように、ｎの値を制限するものとする。
【００５４】
図６において、画像表示部１０２上の斜線部分が前述の角度提示ラインである。図中の角度αは観察角度を示しており、観察角度提示バリア１０４の透過部は、観察する角度に応じて変わる。ここではαは４５度とする。観察者が角度提示ラインを見ることができる範囲は、図６に示す２本の点線で挟まれた範囲に限定され、観察角度αに対応した２本の実線で書かれた角度の時、最もよく視認でき、明るさが最大となる。よって、角度提示ラインが最もよく見える位置に視点を持ってくることにより、表示されている３Ｄ画像を最も自然にゆがみなく見ることが可能になる。
【００５５】
また、観察角度を替えて作成された３Ｄ画像を観察する場合、観察角度提示バリア１０４は透過部分の位置を替えることにより観察角度を変えることができる。図６よりも観察角度が浅い場合を図７に示す。画像に応じて撮影した時の角度が変わっても透過位置を変えることで、適切な観察角度が提示できることにより、常に自然な立体視が可能となる。
【００５６】
なお、角度提示ラインの縦方向のサイズｍと、観察角度提示バリア１０４におけるスリット開口部の縦方向の幅はそれぞれ、様々な値を取り得るが、狭いほど視認性は落ちるものの、より正確な観察角度を提示することが可能となる。
【００５７】
また、角度提示ラインは立体画像に重畳する形で表示されると立体視した際に立体画像が不自然に見えることがあるが、観察角度提示バリア１０４は液晶によって構成されるため、３Ｄ画像を表示する前に観察角度を提示し、３Ｄ画像表示時にはラインの表示も行わず、観察角度提示バリア１０４のスリットは全ての部分において透過状態とすることにより、観察角度提示バリアや角度提示ラインが立体視の邪魔になることがなくなる。あるいは、３Ｄ画像表示後、例えば１０秒間といった一定時間のみ、もしくは、外部から観察角度の提示を中断するための操作を観察者が入力するまで、観察角度を立体画像に重畳して提示し、その後ラインの表示を消し、観察角度提示バリア１０４を透過としても良い。
【００５８】
また、ここで３Ｄ画像ごとの観察角度は、観察者が入力してもよい。例えば、立体表示装置１００に観察角度を画像表示部１０２に入力する為の機械的な入力手段を用意し、その入力情報に応じてスリットの開口部の位置を変え、観察角度を提示してもよいし、立体表示装置１００に情報入力用のボタンを備え、このボタンにより現在の設定された観察角度を画像表示部内に設けた観察角度表示手段（ソフトウェアによる処理手段）により画像表示部１０２に表示させながら、ボタンによって角度を所望の観察角度に変更してもよく、また、ＰＣなど外部機器に接続し、ＰＣ側から観察角度を入力するような構成にしてもよい。
【００５９】
また、３Ｄ画像は通常ヘッダ情報を持つ為、画像作成時にあらかじめ観察角度をヘッダ情報に保持しておき、３Ｄ画像を表示する際には、その情報を元に立体表示装置側で自動的に観察角度に応じて観察角度提示バリア１０４の開口部の位置を制御し、観察角度を表示するようにしてもよい。
【００６０】
以下、ヘッダ情報付きの３Ｄ画像を生成する外部機器である画像生成装置１５０と、この画像生成装置からのデータを受けて、３Ｄ画像を再生し、画像表示部に３Ｄ画像データを供給する３Ｄ画像再生部の構成及び動作について簡単に説明する。
【００６１】
図８は、画像にヘッダ情報を組み込み、３Ｄ画像を生成する画像生成装置のブロック図である。
【００６２】
図９は、本立体表示装置内に組み込んだ場合の３Ｄ画像の再生を行う画像再生部の例を示すブロック図である。
【００６３】
まず、画像生成装置１５０の動作について図８を用いて説明する。
【００６４】
制御手段１５１は、観察角度や画像の配置位置等に関する３Ｄ情報を出力し、後記の画像統合手段１５２及び多重化手段１５４にこの３Ｄ情報を供給する。画像統合手段１５２は、左右眼に対応した左眼画像及び右眼画像を制御手段からの配置位置情報を元に統合し、画像データを生成する。生成された画像データは符号化手段１５３で符号化され、この符号化データと制御手段１５１からの３Ｄ情報を多重化手段１５４で多重化する。
【００６５】
次に、立体表示装置１０１側の画像再生部１５５の動作について図９を用いて説明する。
【００６６】
この画像生成装置１５０から通信手段またはその他記録媒体を介して、多重化された立体画像データを受け取り、逆多重化手段１５６によって符号化データ及び３Ｄ情報を抽出する。符号化データは、復号手段１５７によって、復号し、画像データの再生を行う。
【００６７】
一方、抽出した３Ｄ情報は、３Ｄ情報解析手段１５８によって、画像位置、観察角度等の情報を算出する。算出された画像位置の情報を用いて、画像変換手段１５９は、前記画像データから３Ｄ次元映像データを作成する。そして、前記抽出した観察角度データ等のヘッダ情報と３Ｄ次元映像データを画像表示部１０２に供給する。
【００６８】
このように、上記３Ｄ情報に含まれた観察角度にあわせて、自動的にスリットの開口部を決定することができる。
【００６９】
なお、図１において、理解を容易にするために各部品の大小関係を誇張して記載しており、各部品の大きさは実際とは異なる。また、ここでは視差バリア１０３を画像表示部１０２の表側に配置しているが、図２６に示したように画像表示部１０２の裏側に配置した構成であっても良い。また、観察角度提示バリア１０４に関しても、ここでは画像表示部１０２の表側だが、図２６と同様の原理により、裏側に配置しても良い。観察角度提示バリア１０４はここでは左右両側に配置しているが、片側だけでも良い。但し、両端にあることにより、表示画面に対して観察者が水平に観察できているかが両側にあることにより把握できるという効果がある。
【００７０】
さらにまた、視差バリア１０３を２つ用意して、画像表示部１０２の両面に配置してもよい。
【００７１】
さらにまた、ここでは角度提示ラインの幅方向の長さが、観察角度提示バリア１０４のスリットの幅方向の長さ以下になるように、ｎの値を制限するものとしたが、幅方向の長さ以上であってもスリット部分だけで判断することで角度の提示は可能である。
【００７２】
また、ここでは立体表示装置１００は幅方向に長い形状であるが、幅方向が短く奥行き方向が長くなるような表示装置を用いてもよい。
【００７３】
（第２の実施形態）
図１０は、本発明の第２の実施形態に係る立体表示装置の構成を示す図である。
【００７４】
立体表示装置２００は、画像を表示するための光を背面から照射するバックライト１０１と、赤（Ｒ），緑（Ｇ）、青（Ｂ）からなる複数の画素を備えた画像表示部１０２と、３Ｄ画像を立体的に表示するために左右眼に対応した画像に分離する為の視差バリア１０３と、水平面に表示装置をおいた際に立体画像をゆがみなく適切な位置から見るための指標を提示する観察角度提示バリア２０１からなる。
【００７５】
立体表示装置２００は、視差を持った左眼画像と右眼画像からなる３Ｄ画像が入力された際、図２５（ｂ）に示すようにそれぞれの画像をディスプレイの上下方向の画素のラインに対して１ラインごとに左眼画像と右眼画像を交互に表示させる。各画素から出た光は、画像表示部１０２の画像表示面に対して縦長の短冊上であるスリットで構成される視差バリア１０３によって分離され、左眼画像は左眼だけに、右眼画像は右眼だけに届くことにより、表示された画像を立体的に見ることが可能となる。
【００７６】
なお、ここでは視差バリア１０３は液晶により構成される。液晶は、電圧のＯＮ／ＯＦＦによって光を透過する状態と、光を遮る状態とを切り替えることができる。そのため視差バリア１０３を液晶によって構成し、３Ｄ画像を表示する際にはスリット部分を遮光状態として左右眼の画像の分離を行い、通常の２Ｄ画像を表示する際にはスリット部分を透過状態とすることで、３Ｄ表示と２Ｄ表示の切り替えを行うことが可能となる。
【００７７】
観察者は、その表示面が地面に対して水平になるように立体表示装置２００を配置して立体視を行う。左眼、右眼のそれぞれの視点に対応した左眼画像、右眼画像それぞれに対して第１の実施形態の図４、および図５で示した補正を行い、パースペクティブをなくして左右眼の画像からなる立体画像を作成する。この画像を水平面におかれた立体表示装置２００で表示し、カメラの撮影位置で同じ角度から観察すると、自然な立体像が観察される。
【００７８】
この時、もし撮影した角度とは異なる角度から画像を観察した場合、角度のずれが大きくなるに従い、立体像は本来の形に対してゆがんで見えることとなる。これを防ぐ為に、観察角度提示バリア２０１を利用して、適切に画像を観察する為の角度を提示する。
【００７９】
図１１は立体表示装置２００を横から見た概観図であり、観察角度提示バリア２０１による観察角度の提示方法を示す。観察角度提示バリア２０１は、少なくとも１つ以上の領域が、画像表示部１０２の画像表示面に対して横長の短冊状であるようなスリットで構成されたバリアであり、画面の左右端に配置されている。遮光部はクロムによる遮光膜などによって形成される。
【００８０】
画像表示部１０２は、観察角度提示バリア２０１のスリットがある部分に対応する位置に、幅方向に所定の長さ、色、輝度を持つ角度提示ラインを、角度提示画像として表示する。色は何色でもよいが、視認性の高い色であることが好ましい。角度提示ラインのサイズは、奥行き方向ｍ画素、幅方向ｎ画素（ｍ、ｎとも取り得る値は１以上の整数）としたとき、観察角度提示バリア２０１のスリットの幅方向の長さ以下になるようにｎの値は制限される。
【００８１】
ここで、ｍは１、ｎは１０で観察角度の提示バリア２０１のスリットの幅方向の長さより短いものとする。角度提示ラインの色は赤色とし、その周囲は表示していない（黒色が表示される）ものとする。
【００８２】
図１１において、観察角度提示バリア２０１における遮光部ではさまれた光の透過部分の位置は不変であるので、画像表示部１０２は観察角度に応じて角度提示ラインの表示位置を変える。画像表示部１０２上において斜線で示している部分が表示されている角度提示ラインとする。図１１の角度αは観察角度を示している。ここでは、αは４５度とする。この時、観察者がラインを見ることができる範囲は、図１１の点線で示される範囲に限定される。
【００８３】
図１１において、観察角度αに対応した２本の実線で書かれた角度の時、最もよく視認でき、スリットから見える角度提示ラインの面積が最大となる。よって、ラインが少しでも見える位置に視点を移すことで、立体像を見た時のゆがみを減らすことができ、さらに、ラインが最もよく見える位置に視点を持ってくることによって、視点が撮影した角度と同じ観察角度となるため、より自然で、かつ、ゆがみのない立体像を見ることが可能になる。
【００８４】
画像ごとに観察角度が変わった場合、画像表示部はラインの表示部分を切り替えることにより、提示する角度を変えることが可能となる。図１１よりも観察角度が浅い場合を図１２に示す。この時の観察角度αは３０度とする。ラインの表示部をディスプレイの上方向（図１２の左方向）に変えることにより、観察角度は浅い方向になる。図１２には示してはないが、観察角度がより大きい場合には図１２とは逆に、図１１の表示位置に対して表示装置の下方向にラインの表示位置を変えることで対応することが可能である。このように、画像に応じて撮影した時の角度が変わってもラインの表示位置を変えることで、適切な観察角度が提示できることにより、常に自然な立体視が可能となる。
【００８５】
また、ここでは表示する角度提示ラインは赤の単色としているが、周辺に別の色を表示してもよい。
【００８６】
図１３は、多色で表示した場合を示す図である。
【００８７】
提示する観察角度は図１２と同様３０度とする。図１３において、画像表示部１０２上の斜線で示された部分が赤で、その周囲の黒で示された部分が青で表示されていたとすると、図中Ａに示す観察位置から見ると、観察者は、観察角度提示バリア２０１のスリットの間から青いラインのみが見えることになる。赤で見えるラインが観察角度であることをあらかじめ観察者に提示しておくことにより、観察者が自分の見ている角度が適切な角度かどうかを判断することができる。
【００８８】
また、図１３のＢに示す角度から見た場合、赤と青のラインが同時に見えることになる。Ｂよりも更に角度を浅くするように視点位置を動かし、純粋に赤で見える位置に視点を動かすことにより、図１２に示す場合よりも容易に適切な位置を判断できる。スリットから離れた別の位置、例えば図１３の（１）で示す部分に、スリットを正しい角度で見た際の正解の色として赤色を表示しておき、この色とスリットの間から見える色を比較できるようにしておくことで、より正確に観察角度位置を探すことが可能となる。
【００８９】
なお、ここでは角度提示ラインはある単色をはさむように別の単色で表示する例を示したが、はさむ部分はそれぞれ別の色としても良い。例えば、図１３における画像表示部１０２上の斜線部を赤、その周囲の黒い部分のうち視点位置から見て近い側を青、遠い側を緑で表示したとする。すると、観察角度より浅い角度で見ている時には遠い側の緑が、観察角度よりも深い角度を見ている時には近い側の青が見えることから、あらかじめ観察者に提示しておくことにより、どちらの方向に視点位置を修正すれば良いかがわかる。
【００９０】
また、上記以外にも、例えば斜線部を黒として、その周囲の黒の部分を白で表示したとすると、適切な観察角度位置に来た時は光が見えなくなり、誤っている時には光が見えることになる。この時、少しでも観察角度からずれていると光が見えることから、より正確に観察位置を判断可能となる。
【００９１】
なお、図１０において、理解を容易にするために各部品の大小関係を誇張して記載しており、各部品の大きさは実際とは異なる。
【００９２】
（第３の実施形態）
図１４は、本発明の第３の実施形態に係る立体表示装置の構成を示す図である。
【００９３】
立体表示装置３００は、画像を表示するための光を背面から照射するバックライト１０１と、赤（Ｒ），緑（Ｇ）、青（Ｂ）からなる複数の画素を備え、立体画像の観察角度を提示するための角度提示領域３０１を備えた画像表示部３０２と、３Ｄ画像を立体的に表示するために左右眼の画像に対してそれぞれ光の偏光方向を変えるためのマイクロポール３０４と、水平面に表示装置をおいた際に立体画像をゆがみなく適切な位置から見るための指標を提示する観察角度提示バリア３０３からなる。
【００９４】
立体表示装置３００は、視差を持った左眼画像と右眼画像からなる３Ｄ画像が入力された際、図２４に示したのと同様に、画像表示部３０２における斜線部に、それぞれの画像をディスプレイの左右方向にのびる画素のラインに対して１ラインごとに左眼画像と右眼画像を交互に表示させる。各画素から出た光は、マイクロポール３０４によって、左眼画像と右眼画像で偏光方向が変えられる。観察者は、左眼用には左眼画像の偏光方向と同じフィルタを、右眼用には右眼画像の変更方向と同じフィルタを使用した、偏光フィルタ付のグラスを使用して立体表示装置３００を見ることにより、左眼画像は左眼だけに、右眼画像は右眼だけに届くことにより、表示された画像を立体的に見ることが可能となる。
【００９５】
なお、マイクロポール３０４は微細な偏光素子で構成されたフィルタであり、左右方向にのびた１ラインごとに直行した偏光素子が配置されて構成されている。
【００９６】
観察者は、その表示面が地面に対して水平になるように立体表示装置３００を配置して立体視を行う。左眼、右眼のそれぞれの視点に対応した左眼画像、右眼画像それぞれに対して図４および図５で説明した補正と同様な補正を行い、パースペクティブをなくして左右眼の画像からなる３Ｄ画像を作成する。この画像を水平面におかれた立体表示装置３００で表示し、カメラの撮影位置と同じ角度から観察すると、自然な立体像が観察される。
【００９７】
この時、もし撮影した角度とは異なる角度から画像を観察した場合、角度のずれが大きくなるに従い、立体像は本来の形に対してゆがんで見えることとなる。これを防ぐ為に、観察角度提示バリア３０３と画像表示部３０２上の角度提示領域３０１を利用して、画像を観察する為の適切な角度を提示する。角度提示領域３０１及び観察角度提示バリア３０３は、立体視の妨げにならないよう、３Ｄ画像を表示する部分である立体画像注目領域の外に配置される。角度提示領域３０１は観察角度を提示するためのラインを表示する為に用意された領域である。
【００９８】
また、立体画像等は画像表示部３０１の斜線部の領域でのみ表示される。例えば、画像表示部３０２の解像度がＳＸＧＡ（１２８０×１０２４）かつ、斜線部の解像度が１１８０×１０２４である場合、斜線部の外側に位置する左右の端に、角度提示領域が５０×１０２４の解像度で設けられる。
【００９９】
観察角度提示バリア３０３は、少なくとも１つ以上の領域が、画像提示領域３０１の画像表示面に対して横長の短冊状であるようなスリットで構成されたバリアであり、画面の左右端に配置されている。遮光部は遮光材料によって形成され、縦方向に広く形成される。
【０１００】
画像表示部３０２の一部である角度提示領域３０１は、観察角度に応じて角度提示ラインを表示する。角度提示ラインのサイズは、第１，２の実施形態と同様であり、ここでは奥行き方向の画素ｍは２、幅方向の画素ｎは４０とする。観察角度が４５度であれば、第２の実施形態の図１１と同様に角度提示ラインを表示することで観察角度を提示することができる。３Ｄ画像の表示領域である立体画像注目領域の外側に別途角度提示領域を設けることにより、角度提示用のラインで表示される画像が、３Ｄ画像を表示する際、あるいは２Ｄ表示を行う場合に邪魔になることがなくなる他、３Ｄ画像表示中にも観察角度を示すラインを表示することが可能な為、常に角度を確認しながら立体視することができる。
【０１０１】
また、観察角度提示バリア３０３の遮光部を液晶のような透過、遮光を切り替える部材によって構成する必要が無くなり、構成が容易となる。
【０１０２】
画像ごとに観察角度が変わった場合、図１２と同様、角度提示領域３０１に表示する角度提示ラインの位置を変えることで様々な角度に対応できる。
【０１０３】
また、ここでは左右の位置に角度提示領域３０１及び観察角度提示バリア３０３のスリット部を設けたが、左右に限らず様々な位置に配置可能である。そのときの例を図１５に示す。図１５（ａ）は立体表示装置３００の上部に、（ｂ）は下部に配置した場合、（ｃ）、（ｄ）はそれぞれ観察角度を提示するためのラインの表示長さを変えた場合である。
【０１０４】
但し、観察角度提示バリア３０３のスリット部を、表示画面の縦方向に対する中央部以外の場所に配置する場合には、観察角度を補正した位置に角度提示ラインを表示する必要がある。観察角度は被写体の中央部に合わせて設定されているため、図１６に示すように下部に観察角度提示バリア３０３のスリット部があった場合、中央部を見た時に観察角度αになる視点位置からスリット部を見ると角度βとなる為、この角度βで見た時に角度提示ラインが見えるようにする必要がある。
【０１０５】
観察角度βは、中央部での観察角度αとなる視点位置から中央部までの距離ｘ２と、中央部から観察角度提示バリア３０３のスリット部までの距離ｘ１と、視点位置の高さｙを用いて、ｔａｎβ＝ｙ／（ｘ２−ｘ１）の式により算出され、この角度βに基づき角度提示領域３０１において角度提示ラインが表示される。ｘ２、およびｙの値に関しては、画像の作成者や提示する側があらかじめ値を決めておく方法がある。あるいは、観察者が各自入力を行い、設定しても良い。
【０１０６】
なお、図１４において、理解を容易にするために各部品の大小関係を誇張して記載しており、各部品の大きさは実際とは異なる。また、ここではマイクロポール３０４を観察角度提示バリア３０３の裏に配置しているが、この順序は逆でも良い。
【０１０７】
また、立体視の方式としては、このような偏光方向を左右の画像によって変えて立体視を実現する偏光フィルタ方式以外にも、多眼式で、裸眼で自然な立体視が可能であるインテグラルフォトグラフィー方式や、左右眼で赤と青色に画像の使用色をわけて立体視を行うアナグリフ方式であっても良く、時間ごとに提示する画像を左眼用、右眼用と切り替え、液晶シャッタを備えた専用めがねで見る時分割方式であっても良い。
【０１０８】
また、図１５において示した観察角度提示バリア３０３の幅、及び角度提示領域３０１の角度提示画像であるラインの表示範囲は様々な場合があり、ここで示したものに限定されるものではない。
【０１０９】
さらに、立体表示装置３００の解像度に関してもＳＸＧＡに限らずＵＸＧＡ（１６００×１２００）、ＶＧＡ（６４０×４８０）など様々な場合がある。角度提示領域３０１の解像度、範囲についても同様５０×１０２４に限定されるものではない。また、画像表示部３０２の斜線部解像度をＳＸＧＡなどの所定の解像度とし、その外側に画像提示領域３０１を一定の解像度で設け、立体視のときにだけ画像提示領域３０１を使用するといった構成でもよい。
【０１１０】
（第４の実施形態）
図１７は、本発明の第４の実施形態に係る立体表示装置の構成を示す図である。
【０１１１】
立体表示装置４００は、画像を表示するための光を背面から照射するバックライト１０１と、赤（Ｒ）、緑（Ｇ）、青（Ｂ）からなる複数の画素を備え、立体画像の観察角度を提示するための角度提示領域４０１を備えた画像表示部４０２と、３Ｄ画像を立体的に表示するために左右眼に対応した画像に分離する為の視差バリア４０３とともに、水平面に本立体表示装置をおいた際に、適切な左右方向の観察位置を提示すると同時に、適切な縦方向の観察位置も提示し、立体画像をゆがみなく観察可能な適切な位置を提示する観察角度提示バリア４０４とからなる視差光学部４０５とを備えて構成される。
【０１１２】
立体表示装置４００は、視差を持った左眼画像と右眼画像からなる３Ｄ画像が入力された際、図２４（ｂ）に示すように画像表示部４０２における斜線部に、それぞれの画像をディスプレイの上下方向の画素のラインに対して１ラインごとに左眼画像と右眼画像を交互に表示させる。バックライト１０１の光を光源とし、各画素から出た光は、視差バリア４０３によって分離され、左眼画像は右眼だけに、右眼画像は右眼だけに届くことにより、表示された画像を立体的に見ることが可能となる。
【０１１３】
なお、視差バリア４０３は液晶により構成される。液晶は電圧のＯＮ／ＯＦＦによって光を透過する状態と、光を遮る状態とを切り替えることができる。そのため視差バリアを液晶によって構成し、３Ｄ画像を表示する際にはスリット部分を遮光状態として左右眼の画像の分離を行い、通常の２Ｄ画像を表示する際にはスリット部分を透過状態とすることで、３Ｄ表示と２Ｄ表示の切り替えを行うことが可能となる。
【０１１４】
観察者は、その表示面が地面に対して水平になるように立体表示装置４００を配置して立体視を行う。左眼、右眼のそれぞれの視点に対応した左眼画像、右眼画像それぞれに対して第１の実施形態と同様、図４および図５で示した補正を行い、パースペクティブをなくして左右眼の画像からなる３Ｄ画像を作成する。この画像を水平面におかれた立体表示装置４００で表示し、カメラの撮影位置から同じ角度で観察すると、自然な立体像が観察される。
【０１１５】
ここで示したパララックスバリア方式においては、第１の実施形態の図３で示したように、立体表示装置４００の左右方向において立体視するための適切な観察位置が存在する。この範囲からずれると、左右眼にそれぞれに対応した画像が見えなくなり、立体視できなくなる。
【０１１６】
例えば、図１８のような位置から観察すると、右眼に左眼用の画像が、左目に右眼用の画像が見えることとなり、立体視に不具合が生じる。図の画像表示部４０２におけるＬは左眼用の画像を、Ｒは右眼用の画像を表示していることを示している。このような不具合を回避する為に、視差光学部４０５により適切な左右方向の観察位置を提示する。
【０１１７】
左右方向の観察位置の提示方法を図１９に示す。図１９は観察者のいる方向、すなわち水平面に置かれた立体表示装置４００の手前方向から見た断面図である。視差光学部４０５の観察角度提示バリア４０４と画像表示部４０２に設けられた角度提示領域４０１上に画像を表示する位置をうまく合わせる。
【０１１８】
図１９の角度提示領域４０１上の白く表されている部分に白色が光っている部分とすると、この白色部分の表示位置と、観察角度提示バリア４０４における画面の縦方向にのびて設けられた遮光部をあらかじめ調節しておき、図のように表示画面の左右方向において適切な観察位置に視点を合わせた時に、白色部が観察角度提示バリア４０４で遮蔽され見えないようにする。この範囲から少しでもずれると、左右眼のどちらかに角度提示領域４０１からの光が見えることになり、適切な位置にいるかいないかが判断できる。
【０１１９】
また、水平面におかれた立体表示装置４００の縦方向に対する観察角度がカメラの撮影時と異なると、立体像はゆがんでしまうため、第３の実施形態における図１１から１３で示した方法を用い、観察角度提示バリア４０４を利用して観察角度を提示する。
【０１２０】
但し、この時は観察角度提示バリア４０４を利用して、前述した幅方向の観察位置と同時に縦方向の観察角度を提示する必要があるため、角度提示領域４０１上には角度提示画像としてラインではなく、図１９で示した適切な左右位置に来ると見えなくなるような幅方向の位置で、かつ縦方向の観察角度を提示する位置に点線上に表示することとなる。この時の角度提示画像を図２０（ａ）に示す。図２０（ａ）の角度提示領域４０１において、記号Ａで示された四角部分が白色で表示されている部分であり、角度提示画像である。それ以外の部分は消灯しているとする。
【０１２１】
角度提示画像の幅方向の表示位置は、図１９で示した位置であり、奥行き方向の位置は観察角度と観察角度提示バリア４０４の位置によって変わる。図２０（ａ）における画像は、画面の縦方向に対する角度が正しく、左右の観察位置がずれている時にこの画像が見え、縦方向の角度が誤っている、もしくは幅方向の観察位置が正しい時に画像が見えなくなる。
【０１２２】
これにより、観察者は、まず、図２０で示す角度提示画像が観察角度提示バリア４０４を通して見える位置に移動する。この時画面の縦方向における観察角度があっていることを意味するので、その観察角度を保ったまま幅方向の位置合わせを行い、画像が見えなくなる位置に来た時に適切な観察角度、観察位置で表示画面を見ていることを判別することが可能となる。
【０１２３】
また、別の角度提示画像の例を図２０（ｂ）に示す。円で囲まれた図は角度提示画像の一部を拡大した図である。拡大されていない部分も、この部分と同じ表示状況とする。
【０１２４】
１から３の番号で示された部分は縦方向の観察角度提示に用いられ、４の番号で示された部分は図２０（ａ）の記号Ａで示す部分に対応する幅方向の観察位置提示に用いられる部分である。ここでは１、３は赤色を、２は黒色を、４は白色を表示しているとする。それ以外の角度提示領域４０１はすべて黒とする。番号４の白色部は、観察角度提示バリア４０４の遮光部により幅方向の位置が適切な位置に来た時には見えなくなる。この時、縦方向の観察角度が正しければ、観察角度提示バリア４０４によって番号１、番号３の赤色の部分は同じく観察角度提示バリア４０４によって遮られ、番号２の部分だけが見える為、黒だけが見える、すなわち画像は何も見えなくなり正しい位置にいることがわかる。
【０１２５】
もし、観察角度が正しくなければ、番号１、あるいは３の赤色の光が見えることで縦方向の観察角度が誤っていることが判別可能となる。このように、番号１、３と番号４の部分で異なる色を表示することにより、幅方向、奥行き方向のどちらの観察位置が誤っているかを判別することが可能となる。
【０１２６】
ここでは、まず幅方向の観察位置を合わせてから縦方向を合わせる例を示したが、逆に奥行き方向、幅方向の順で観察位置を合わせてもよい。また、幅方向、奥行き方向どちらが誤っているかをすぐには判別できないものの、番号１、３、４の部分を異なる色でなく全て同色で表示しても、試行錯誤により光の見えなくなる位置を探すことで同様に観察位置を特定可能である。
【０１２７】
なお、図１７から図２０において理解を容易にするために各部品の大小関係を誇張して記載しており、各部品の大きさは実際とは異なる。
【０１２８】
また、図２０において示した角度提示領域４０１のラインによる画像の表示範囲は様々な場合があり、ここで示したものに限定されるものではない。表示される画像の色に関しても白に限らず他の色であっても良い。
【０１２９】
（第５の実施形態）
図２１は、本発明の第５の実施形態に係る立体表示装置の構成を示す図である。
【０１３０】
立体表示装置５００は、画像を表示するための光を背面から照射するバックライト１０１と、赤（Ｒ），緑（Ｇ）、青（Ｂ）からなる複数の画素を備え、画像を表示する画像表示部１０２と、３Ｄ画像を立体的に表示するために左右眼に対応した画像に分離する為のレンティキュラレンズ５０１からなる。また、観察角度提示のための円筒形の角度提示指標５０２（図２２に図示）をここでは使用する。
【０１３１】
立体表示装置５００は、視差を持った左眼画像と右眼画像からなる３Ｄ画像が入力された際、画像表示部１０２に、それぞれの画像を表示装置の上下方向の画素のラインに対して１ラインごとに左眼画像と右眼画像を交互に表示させる。各画素から出た光は、レンティキュラレンズ５０１によって分離され、左眼画像は右眼だけに、右眼画像は右眼だけに届くことにより、表示された画像を立体的に見ることが可能となる。
【０１３２】
レンティキュラレンズ５０１は指向性を持っており、視線の届く位置を変化させることができ、左右眼それぞれに左眼画像、右眼画像のみの光が入るよう画像表示部１０２の各画素と位置合わせされる。
【０１３３】
観察者は、その表示面が地面に対して水平になるように立体表示装置５００を配置して立体視を行う。この時の３Ｄ画像は、第１の実施形態の図４、５で示した補正を行うことにより、あらかじめ視点位置として想定されたカメラ位置から、適切な観察角度で立体視することにより、自然な立体像を視認可能となる。ここでは観察角度を４５度とする。
【０１３４】
この時、もし撮影した角度とは異なる角度から画像を観察した場合、角度のずれが大きくなるに従い、立体像は本来の形に対してゆがんで見えることとなる。これを防ぐ為に、角度提示指標５０２を使用して正しい観察角度を提示する。角度提示指標５０２の高さを１０ｃｍとする。
【０１３５】
図２２は、立体表示装置５００を横から見た図、図２３は真上から見た図である。
【０１３６】
立体画像を表示する前に、画像表示部１０２に２本の指標ラインを表示する。図２２、２３で画像表示部１０２上の黒で示された太いラインが指標ラインである。観察位置から見て手前側のラインに合わせ、角度提示指標５０２を置く。指標ラインは、図２２に示すように適切な観察角度に来た時に角度提示指標５０２の上部と一致する場所に表示される。
【０１３７】
これにより、特殊な機構を用いること無く簡単に観察角度を提示することが可能となる。
【０１３８】
なお、図２１において、理解を容易にするために各部品の大小関係を誇張して記載しており、各部品の大きさは実際とは異なる。
【０１３９】
また、観察角度は４５度以外にも、立体画像に応じて３０度、４０度、５０度など様々な場合がある。また、角度提示指標５０２の高さもここで示した１０ｃｍに限らず表示装置の大きさなどに従い１５ｃｍ、５ｃｍ等様々な長さでよい。ここでは角度提示指標をライン上に置いたが、横にずらして配置しても良く、円筒形の物体以外にも、表示装置の枠に指標となるポールや物差しなどを用いてもよい。
【０１４０】
また、ここでは液晶表示装置としたが、ＰＤＰやＣＲＴなどの方式の表示装置と観察角度提示バリアを組み合わせて、観察角度の提示を行っても良い。
【０１４１】
また、本発明における実施例では立体表示装置を水平面においているが、例えば表示面が壁面と平行となり、かつ視点よりも下に位置する場所に掛けた場合に、壁面に垂直に物があると想定して作成した立体画像を斜めに除き見るような場合でも利用可能であり、また、水平面より多少傾いた平面を想定した場合にも応用可能であり、携帯型の表示端末を想定してもよく、必ずしも水平面だけに限定されるものではない。
【０１４２】
また、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【図面の簡単な説明】
【０１４３】
【図１】本発明の第１の実施形態に係る立体表示装置の構成を示すブロック図である。
【図２】立体画像データの一例を示す図である。
【図３】パララックスバリア方式における立体視の原理を示す図である。
【図４】水平面の物体を斜め方向から撮影した画像を示す図である。
【図５】水平面の物体を斜め方向から撮影した画像の補正方法を示す図である。
【図６】観察角度の提示方法に関する一例を示す図である。
【図７】観察角度の提示方法に関する一例を示す図である。
【図８】画像にヘッダ情報を組み込み、３Ｄ画像を生成する画像生成装置のブロック図である。
【図９】本立体表示装置内に組み込んだ場合の３Ｄ画像の再生を行う画像再生部の例を示すブロック図である。
【図１０】本発明の第２の実施形態に係る立体表示装置の構成を示すブロック図である。
【図１１】観察角度の提示方法に関する一例を示す図である。
【図１２】観察角度の提示方法に関する一例を示す図である。
【図１３】観察角度の提示方法に関する一例を示す図である。
【図１４】本発明の第３の実施形態に係る立体表示装置の構成示すブロック図である。
【図１５】観察角度提示バリアの配置位置に関する例を示す図である。
【図１６】観察角度提示バリアの位置による角度補正の例を示す図である。
【図１７】本発明の第４の実施形態に係る立体表示装置の構成を示すブロック図である。
【図１８】パララックスバリア方式における立体視の不具合を説明する図である。
【図１９】パララックスバリア方式における観察位置の提示方法を示す図である。
【図２０】観察位置および観察角度提示のための角度提示画像の一例を示す図である。
【図２１】本発明の第５の実施形態に係る立体表示装置の構成を示すブロック図である。
【図２２】角度提示指標を用いた観察角度の提示方法に関する一例を示す図である。
【図２３】観察角度提示時の表示装置を真上から見た図である。
【図２４】時分割方式を説明するための概念図である。
【図２５】パララックスバリア方式を説明する為の概念図である。
【図２６】パララックスバリア方式の別の構成例を示す図である。
【符号の説明】
【０１４４】
１００、２００、３００、４００、５００  立体表示装置
１０１  バックライト
１０２、３０２、４０２  画像表示部
１０３、４０３  視差バリア
１０４、２０１、３０３、４０４  観察角度提示バリア
１５０  ３Ｄ画像生成装置
１５１  制御手段
１５２  画像統合手段
１５３  符号化手段
１５４  多重化手段
１５５  ３Ｄ画像再生部
１５６  逆多重化手段
１５７  復号手段
１５８  ３Ｄ情報解析手段
１５９  画像変換手段
３０１、４０１  角度提示領域
３０４  マイクロポール
４０５  視差光学部
５０１  レンティキュラレンズ
５０２  角度提示指標
６００  画像表示パネル
６０１  パララックスバリア
６０２  左眼
６０３  右眼
【図１】
0004657066.tif 000002
【図２】
0004657066.tif 000003
【図３】
0004657066.tif 000004
【図４】
0004657066.tif 000005
【図５】
0004657066.tif 000006
【図６】
0004657066.tif 000007
【図７】
0004657066.tif 000008
【図８】
0004657066.tif 000009
【図９】
0004657066.tif 000010
【図１０】
0004657066.tif 000011
【図１１】
0004657066.tif 000012
【図１２】
0004657066.tif 000013
【図１３】
0004657066.tif 000014
【図１４】
0004657066.tif 000015
【図１５】
0004657066.tif 000016
【図１６】
0004657066.tif 000017
【図１７】
0004657066.tif 000018
【図１８】
0004657066.tif 000019
【図１９】
0004657066.tif 000020
【図２０】
0004657066.tif 000021
【図２１】
0004657066.tif 000022
【図２２】
0004657066.tif 000023
【図２３】
0004657066.tif 000024
【図２４】
0004657066.tif 000025
【図２５】
0004657066.tif 000026
【図２６】
0004657066.tif 000027